(57)【要約】【課題】構造が簡単で製品の視覚的印象を変化させ、製品に変化と活力を与えることが可能なフラットパネルディスプレイのフレーム構造を提供する。【解決手段】ラットパネルディスプレイに４つの長形フレーム１０およびベーススタンド２０を備え、４つのフレー１０ムはフラットパネルディスプレイの外環を取り囲む環状を構成し、さらに各フレーム１０の両端はそれぞれ４５度の傾斜部１１を設け、これより２つのフレーム１０が接合されると同時に９０度の夾角を構成し、各フレームの外側はフレーム１０の長軸方向に沿ってそれぞれ収容部１３を設け、収容部１３の内部に細長い形状の装飾片１４を設ける。ベーススタンド２０は平板部２１を有し、平板部２１にスタンド部２２を設け、スタンド部２２は直接フラットパネルディスプレイの背面と結合し、直立支持の機能を提供するために、平板部２１は平面に設置可能である。【選択図】図１
0003117250.tif 000002
【実用新案登録請求の範囲】
【請求項１】
フラットパネルディスプレイのフレーム構造において、フラットパネルディスプレイ上に４つの長形フレームおよびベーススタンドを備え、
４つの前記フレームは、前記フラットパネルディスプレイの外環を取り囲む環状を構成し、さらに各フレームの両端はそれぞれ４５度の傾斜部を設け、これより２つのフレームが接合されると同時に９０度の夾角を構成し、各フレームの外側はフレームの長軸方向に沿ってそれぞれ収容部を設け、前記収容部の内部に細長い形状の装飾片を設け、
前記ベーススタンドは、平板部および前記平板部上に立設させたスタンド部を有し、前記スタンド部は直接フラットパネルディスプレイの背面と結合し、直立支持の機能を提供するために前記平板部を平面に設置可能であることを特徴とするフラットパネルディスプレイのフレーム構造。
【請求項２】
前記収容部は溝をなすことを特徴とする請求項１に記載のフラットパネルディスプレイのフレーム構造。
【請求項３】
前記溝の内部に長形の前記装飾片を挿入したことを特徴とする請求項２に記載のフラットパネルディスプレイのフレーム構造。
【請求項４】
前記傾斜部に接合部を設け、２つのフレームが互いに接合する時、２つの前記フレームはボルトを通じて相互に固定されることを特徴とする請求項１に記載のフラットパネルディスプレイのフレーム構造。
【請求項５】
各前記フレームはアルミニウム押出形材であることを特徴とする請求項１に記載のフラットパネルディスプレイのフレーム構造。
【請求項６】
前記装飾片は金属製であることを特徴とする請求項１に記載のフラットパネルディスプレイのフレーム構造。
【請求項７】
前記装飾片はプラスチック製であることを特徴とする請求項１に記載のフラットパネルディスプレイのフレーム構造。
【請求項８】
前記装飾片はゴム製であることを特徴とする請求項１に記載のフラットパネルディスプレイのフレーム構造。
【請求項９】
前記装飾片は木製であることを特徴とする請求項１に記載のフラットパネルディスプレイのフレーム構造。
【請求項１０】
前記平板部は多層機構の設計であり、前記平板部は下方より上方へと多層の色または材質の表現を形成することを特徴とする請求項１に記載のフラットパネルディスプレイのフレーム構造。
【考案の詳細な説明】
【技術分野】
【０００１】
本考案はフラットパネルディスプレイに関し、特にフラットパネルディスプレイのフレーム構造に関する。
【背景技術】
【０００２】
現在市販されているフラットパネルディスプレイは、そのディスプレイの大半が矩形のフレームにベーススタンドを加えたもので構成されている。これら矩形フレームの大半は単一色、単一材質による４つの長形フレームによって構成され、これより製品の外観は明らかにありきたりで単調であり、生命力に欠けるものであった。さらに、このような製品のほとんどが本体の重量を軽く、そして厚みを薄く見せようと強調しているが、単一色、単一材質によって形成された大型のフレームは視覚的に厚くて重く感じられるものであった。ゆえに、このような製品外形と構造に対する改良の必要があった。
【考案の開示】
【考案が解決しようとする課題】
【０００３】
本考案の主要な目的は、構造が簡単で製品の視覚的印象を変化させ、製品に変化と活力を与えることが可能なフラットパネルディスプレイのフレーム構造を提供することにある。
【課題を解決するための手段】
【０００４】
上記の目的を達成するため、本考案によるフラットパネルディスプレイのフレーム構造は、フラットパネルディスプレイに４つの長形フレームおよびベーススタンドの組立を配し、該４つのフレームは前記フラットパネルディスプレイの外環を取り囲む環状を構成し、さらに各フレームの両端はそれぞれ４５度の傾斜部を設け、これより２つのフレームが接合されると同時に９０度の夾角を構成し、各フレームの外側はフレームの長軸方向に沿ってそれぞれ収容部を設け、該収容部の内部に細長い形状の装飾片を設ける。前記ベーススタンドは平板部を有し、該平板部にスタンド部を設け、該スタンド部は直接フラットパネルディスプレイの背面と結合し、直立支持の機能を提供するために、前記平板部は平面に設置することが可能である。
【考案を実施するための最良の形態】
【０００５】
本考案の構造および特徴を詳細に説明するために、以下により好ましい実施の形態を挙げ、図面と共に説明する。
図１は本考案の一実施例によるフレームおよび装飾片の分解斜視図である。
図２は本考案の一実施例によるフレームの部分拡大図である。
図３は本考案の一実施例によるフレームを装設完成させた後の正面図である。
【０００６】
図４は本考案の一実施例によるフレームの背面斜視図である。
図５は本考案の一実施例によるフレームのベーススタンド平板部の部分拡大図である。
図面を参考とすると、本考案の一実施例によるフラットパネルディスプレイのフレーム構造はフラットパネルディプレイに４つの長形フレーム１０およびベーススタンド２０を配し、組立てたものである。
【０００７】
前記４つのフレームは環状を構成し、前記フラットパネルディスプレイの外環を取り囲む。各フレームはアルミニウム押出形材で、さらに各フレームの両端はそれぞれ４５度の傾斜部１１を設け、該傾斜部に接合部１２を設け、これより２つのフレームが相互に接合する時、該２つのフレームはボルトを通じて互いに固定され、２つのフレームを接合させると同時に９０度の夾角を構成することができる。よって、８個のボルトを必要とするのみでフレーム全体の組合せを達成することが可能である。各フレームの外側にフレームの長軸方向に沿ってそれぞれ収容部１３を設け、該収容部の内部に細長い形状の装飾片１４を設ける。本実施例において、該収容部はアルミ押出形材製造時の一体成型の溝としてなり、該溝内に色の異なる装飾片を挿入し、例えばもし該フレームが白色であれば装飾片は赤色とすることができ、装飾片の材質とフレームの材質は同一あるいは異なるものでもよい。また装飾片には金属、プラスチック、ゴム、木材等の異なる材質を採用することが可能で、異なる組合せの選択および方式を提供することにより、異なった質感を表現することも可能である。
【０００８】
前記ベーススタンドは平板部２１を有し、該平板部上にスタンド部２２を立設し、該スタンド部は直接フラットパネルディスプレイの背面で結合し、直立支持の機能を提供するために該平板部は平面に設置することができる。平板部は単一色または図５に示すような構成とすることが可能で、フレームの三層式設計に合わせてその底部にさらに異なる色を加え、前記平板部は下方より上方へと三層の色または材質の表現を形成することができる。
【０００９】
上述の構造の組合せにより、本実施例は組合せ時においてフレームを二つずつ互いにフラットパネルディスプレイの外周で接合して装飾片を挿入し、ベーススタンドを固定するだけでよい。本実施例の構造は製品正面の４つの角がすべて４５度の斜線を有し、製品に視覚上、外側に向けて放射を拡大させる効果を備えさせ、同時に製品の側面は従来製品の配色または材質と異なる運用方式を有するため、この優れた点を利用することにより製品の配色と質感を豊富にし、製品の活力を高めることが可能である。さらに、中間の機構の形成は視覚的な製品の厚みをさらに薄くするものとし、単一の厚さ、重さであるだけのフレームではない。
【図面の簡単な説明】
【００１０】
【図１】本考案の一実施例によるフレームおよび装飾片の分解斜視図である。
【図２】本考案の一実施例によるフレームの部分拡大図である。
【図３】本考案の一実施例によるフレームを装設完成させた後の正面図である。
【図４】本考案の一実施例によるフレームの背面斜視図である。
【図５】本考案の一実施例によるフレームのベーススタンド平板部の部分拡大図である。
【符号の説明】
【００１１】
１０  フレーム、１１  傾斜部、１２  接合部、１３  収容部、１４  装飾片、２０  ベーススタンド、２１  平板部、２２  スタンド部
【図１】
0003117250.tif 000003
【図２】
0003117250.tif 000004
【図３】
0003117250.tif 000005
【図４】
0003117250.tif 000006
【図５】
0003117250.tif 000007